(57)【要約】【課題】部品点数が少なくコストが安いと共に、組み立て作業が簡単である扉用ハンドル装置とする。【解決手段】扉２に取付ける台座１０に保持部材２０を取付け、この保持部材２０に操作部材３０を垂直軸５０で水平方向に揺動自在に取付け、前記保持部材２０に作用部材４０を水平軸５１で垂直方向に揺動自在に取付け、前記操作部材３０に駆動ピン５２を設け、この駆動ピン５２を作用部材４０の駆動用孔４４に挿通して作用部材４０が駆動ピン５２によって揺動するようにし、この駆動ピン５２を保持部材２０の長孔５３の端部に当接することで操作部材３０の揺動を規制するようにした扉用ハンドル装置。これによって、駆動ピン５２で揺動を規制するから、揺動を規制するピンを別に設けなくとも良く、部品点数が少ない。【選択図】図４
2006077497.tif 000002
【特許請求の範囲】
【請求項１】
扉に取付ける台座と、
この台座に取付けた保持部材と、
この保持部材に垂直軸で水平方向に揺動自在に取付けた操作部材と、
前記保持部材に水平軸で垂直方向に揺動自在に取付けた作用部材と、
前記操作部材に設けられ、前記作用部材を垂直方向に揺動する駆動ピンと、
前記操作部材に設けたハンドルを備え、
前記駆動ピンを保持部材に当接することで、前記操作部材の水平方向の揺動を規制するようにしたことを特徴とする扉用ハンドル装置。
【請求項２】
駆動ピンを保持部材の長孔に挿通し、その駆動ピンが長孔の端部に当接することで操作部材の水平方向の揺動を規制するようにした請求項１記載の扉用ハンドル装置。
【請求項３】
垂直軸と水平軸と駆動ピンが扉厚さ方向にほぼ同一位置である請求項１又は２記載の扉用ハンドル装置。
【請求項４】
垂直軸と駆動ピンは平行で、その垂直軸は保持部材と操作部材に両持ち支持され、駆動ピンは操作部材に両持ち支持され、かつ長手方向両端部分が保持部材に当接するようにした請求項１記載の扉用ハンドル装置。
【請求項５】
保持部材と作用部材の基端部が台座の開口部内に設けられ、その作用部材の先端部が台座の裏面より突出し、
操作部材は台座の開口部内に設けられた本体部とカバー部を備え、このカバー部が台座の表面と対向して開口部を閉塞し、
このカバー部にハンドルを設けるようにした請求項１〜４いずれか１項記載の扉用ハンドル装置。
【発明の詳細な説明】
【技術分野】
【０００１】
本発明は、玄関ドア等の扉に取付けられてラッチ錠を操作する扉用ハンドル装置に関する。
【背景技術】
【０００２】
玄関ドアとしては、ドア枠に扉をヒンジで開閉自在に取付け、この扉にラッチ錠と、このラッチ錠を操作する扉用ハンドル装置を取付け、その扉用ハンドル装置でラッチ錠のラッチを作動して扉を開放するものが知られている。
かかる扉に取付ける扉用ハンドル装置が特許文献１に開示されている。
この扉用ハンドル装置は、扉に取付ける台座に保持枠を固設し、この保持枠に操作レバーを垂直軸で水平方向に揺動可能に設けると共に、この保持枠に作用レバーを水平軸で垂直方向に揺動可能に設け、この作用レバーと操作レバーを、長孔と駆動ピンより成る連係手段で連係し、前記操作レバーにハンドルを取付けると共に、保持枠に設けた長孔と操作レバーに設けたピンで揺動制限手段としてある。
そして、ハンドルを持って操作レバーを垂直軸を中心として水平方向に揺動すると、その操作レバーの揺動が連係手段によって作用レバーに伝わって作用レバーが水平軸を中心として垂直方向に揺動し、扉に設けたラッチ錠のラッチを解錠方向に作動する。
前記操作レバーが所定角度揺動すると揺動制限手段で操作レバーがそれ以上揺動されないように制限し、ハンドルとともに扉を開放できる。
【０００３】
【特許文献１】特開平１１−３００６２号公報
【発明の開示】
【発明が解決しようとする課題】
【０００４】
前述した扉用ハンドル装置は、連係手段を構成する駆動ピンと、揺動制限手段を構成するピンとが格別に設けられて各手段が格別に設けられているから、部品点数が多くコストが高いと共に、組み立て作業が面倒である。
【０００５】
本発明の目的は、部品点数が少なくコストが安いと共に、組み立て作業が簡単である扉用ハンドル装置を提供することである。
【課題を解決するための手段】
【０００６】
本発明は、扉に取付ける台座と、
この台座に取付けた保持部材と、
この保持部材に垂直軸で水平方向に揺動自在に取付けた操作部材と、
前記保持部材に水平軸で垂直方向に揺動自在に取付けた作用部材と、
前記操作部材に設けられ、前記作用部材を垂直方向に揺動する駆動ピンと、
前記操作部材に設けたハンドルを備え、
前記駆動ピンを保持部材に当接することで、前記操作部材の水平方向の揺動を規制するようにしたことを特徴とする扉用ハンドル装置である。
【０００７】
本発明においては、駆動ピンを保持部材の長孔に挿通し、その駆動ピンが長孔の端部に当接することで操作部材の水平方向の揺動を規制することが好ましい。
このようにすれば、その駆動ピンによって操作部材の水平方向の揺動を確実に規制することができる。
【０００８】
本発明においては、垂直軸と水平軸と駆動ピンが扉厚さ方向にほぼ同一位置であることが好ましい。
このようにすれば、扉用ハンドル装置の扉厚さ方向の寸法を小さくコンパクトにできる。
【０００９】
本発明においては、垂直軸と駆動ピンは平行で、その垂直軸は保持部材と操作部材に両持ち支持され、駆動ピンは操作部材に両持ち支持され、かつ長手方向両端部分が保持部材に当接することが好ましい。
このようにすれば、操作部材が保持部材に垂直軸で強固に支持され、操作部材の揺動が駆動ピンを介して保持部材でしっかりと規制される。
よって、ハンドルを持って扉を開放する時の力を操作部材と駆動ピンを介して保持部材で強固に支承するから、重い扉などであっても確実に開放できる。
【００１０】
本発明においては、保持部材と作用部材の基端部が台座の開口部内に設けられ、その作用部材の先端部が台座の裏面より突出し、
操作部材は台座の開口部内に設けられた本体部とカバー部を備え、このカバー部が台座の表面と対向して開口部を閉塞し、
このカバー部にハンドルを設けることが好ましい。
このようにすれば、台座の開口部内に作用部材の基端部、操作部材の本体部、保持部材が設けられ、その台座の開口部がカバー部で閉塞されるので、前述の各部材が見えることがなく見栄えが良いし、台座の開口部にゴミ等の異物が侵入することがない。
【発明の効果】
【００１１】
請求項１に係る発明によれば、ハンドルを操作して操作部材を水平方向に揺動することで、駆動ピンによって作用部材を垂直方向に揺動できる。
また、作用部材を垂直方向に揺動する駆動ピンを用いて操作部材の揺動を規制するので、その操作部材の揺動を規制するための専用の部材が不要であるから、部品点数が少なくコストが安いと共に、組み立て作業が容易である。
【発明を実施するための最良の形態】
【００１２】
図１に示すように、ドア枠１に扉２をヒンジ等で開閉自在に取付けてドアとしてある。
図２に示すように、扉２にラッチ錠３が設けてある。このラッチ錠３は、例えば本体４にラッチ５を出入り自在に設けると共に、ばね等でラッチ５を突出した施錠状態とするものである。
前記扉２の室内側面２ａと室外側面２ｂにハンドル装置６がそれぞれ取付けてある。このハンドル装置６は前記ラッチ錠３のラッチ５を本体４内に引き込んだ解錠状態とするものである。
【００１３】
この実施の形態では、ハンドル装置６は上下一対の装置本体７間に亘って長尺なハンドル８を取付けたもので、一対の装置本体７における一方の装置本体７によってラッチ錠３のラッチ５を解錠状態とする。
つまり、ハンドル８が長尺であるから、そのハンドル８の長手方向両端部を装置本体７（後述する操作レバー）にそれぞれ連結して、そのハンドル８がスムーズに安定して揺動するようにしてある。すなわち、一対の装置本体７における他方の装置本体７はラッチ錠３を操作するものではなく、ハンドル８を扉２に対して揺動可能に支持するものである。
これに限ることはなく、ハンドル８と１つの装置本体７でハンドル装置６としても良いし、ラッチ錠３を２つ設けて２つの装置本体７で操作するようにしても良い。
【００１４】
また、この実施の形態では扉２の室内側面２ａに取付けたハンドル装置６は、そのハンドル８を押すことでラッチ錠３のラッチ５を解錠状態とするようにしてあり、扉２の室外側面２ｂに取付けたハンドル装置６は、そのハンドル８を引くことでラッチ錠３のラッチ５を解錠状態とするようにしてある。つまり、プッシュプル式のハンドル装置である。
【００１５】
次に、ハンドル装置６を具体的に説明する。
図３に示すように、ハンドル装置６の装置本体７は、台座１０と、保持部材２０と、操作部材３０と、作用部材４０を備えている。
図４と図５に示すように、前記台座１０が扉２に取付けられ、この台座１０に保持部材２０が取付けられる。
前記操作部材３０が保持部材２０に垂直軸５０で水平方向に揺動自在に取付けられ、この操作部材３０にハンドル８が取付けられる。
前記作用部材４０が保持部材２０に水平軸５１で垂直方向に揺動自在に取付けられ、この作用部材４０はラッチ錠３の本体４内に突出してラッチ５を解錠動作する。
前記操作部材３０に駆動ピン５２が取付けてある。この駆動ピン５２は図６と図７に示すように作用部材４０と接して作用部材４０を水平軸５１を中心として仮想線で示すように垂直方向の一方に揺動する。この作用部材４０が揺動することでラッチ錠３のラッチ５を解錠状態とする。
【００１６】
前記駆動ピン５２は、操作部材３０が所定角度揺動すると保持部材２０に当接し、操作部材３０の揺動を規制している。
例えば、前記駆動ピン５２は図６に示すように保持部材２０の長孔５３に突出し、作用部材４０が図６に仮想線で示すように揺動する際に駆動ピン５２が長孔５３に沿って移動し、作用部材４０が仮想線で示す所定位置まで揺動すると駆動ピン５２が図６の仮想線で示すように長孔５３の端部に当接して操作部材３０の揺動を規制する。
このように、操作部材３０の揺動によって作用部材４０を揺動する駆動ピン５２は、その操作部材３０の最大揺動角度を規制するので、この駆動ピン５２は、作用部材４０の揺動機能と操作部材３０の揺動規制機能を有し、従来のように２つのピンを用いずに１つのピンを用いれば良いから、部品点数が少なく、コストが安いと共に、組み立て作業が簡単である。
【００１７】
前記垂直軸５０と水平軸５１と駆動ピン５２は図６、図７に示すように、扉２の室内外側方向（つまり、扉２の厚さ方向）にほぼ同一、好ましくは同一位置である。
これによって、ハンドル装置６の装置本体７の扉厚さ方向の寸法が小さく、ハンドル装置６をコンパクトにできる。
前記垂直軸５０と駆動ピン５２は平行で、水平軸５１は垂直軸５０の長さ方向の中間部に位置している。
【００１８】
次に、ハンドル装置６の具体形状を説明する。
図８と図９に示すように、台座１０は表面（扉２と反対側の面）１１と裏面（扉２側の面）１２に亘って貫通した開口部１３を有し、その表面１１の開口部１３の周縁部に沿ってリング状の突起１４が一体的に設けてある。
この実施の形態では台座１０は垂直方向に長い略長円形状である。これに限ることはなく、円形、矩形などでも良い。
図４と図５に示すように、前記保持部材２０は台座１０の開口部１３内に取付けてある。
前記操作部材３０は、本体部３１とカバー部３２を備え、その本体部３１が保持部材２０に取付けられて台座１０の開口部１３内に位置している。前記カバー部３２がハンドル８に連結される。
前記カバー部３２は台座１０の開口部１３における表面１１に開口した開口の大きさよりも大きく、台座１０の表面１１と対向して台座１０の開口部１３を閉塞している。これによって開口部１３内にゴミ等の異物が入り込まないようにしていると共に、開口部１３内が目視されないようにして外観の見栄えを良くしている。
【００１９】
前記カバー部３２の好ましい形状を説明する。
図４と図５に示すように、カバー部３２の外周縁３２ａは円弧形状に湾曲し、前記台座１０の突起１４の外周寄りに位置している。
このようにすることで、カバー部３２の外周縁３２ａが突起１４の先端よりも台座１０の表面１１寄りに位置して外周縁３２ａと突起１４が重なり合うから、前述の異物侵入をより確実に防止できる。
【００２０】
以上のことを要約すれば、操作部材３０の本体部３１が保持部材２０に垂直軸５０で揺動自在に取付けられ、この本体部３１と保持部材２０と作用部材４０の基端部が台座１０の開口部１３内に設けてあり、前記操作部材３０のカバー部３２が台座１０の表面１１と対向して開口部１３を閉塞し、かつカバー部３２にハンドル８が連結されている。
【００２１】
図３に示すように、扉２の室内側面２ａに取付ける装置本体７は取付金具６０を備えている。扉２の室外側面２ｂに取付ける装置本体７の台座１０に取付用ねじ杆６１が螺合してある。
そして、図４に示すように取付用ねじ杆６１を扉２の室外側面２ｂに形成した孔６２より扉２内に突出し、取付金具６０からビス６３を取付用ねじ杆６１のねじ穴６１ａに螺合して台座１０を扉２の室外側面２ｂに押しつけて取付ける。
図５に示すように、扉２の室内側面２ａに取付ける装置本体７の台座１０は、ビス６４で取付金具６０に固着して取付ける。
このようにすることで、台座１０を簡単に取付けできると共に、室外側から台座１０を取り外しできないから防犯上好ましい。
【００２２】
前記保持部材２０と操作部材３０の基端部（つまり、本体部３１）は揺動可能に嵌まり合い、操作部材３０の基端部と保持部材２０とに亘って垂直軸５０が挿通され、この垂直軸５０の長手方向両端部分が保持部材２０と操作部材３０の基端部とでそれぞれ支持されている。
前記駆動ピン５２の長手方向中間部が作動部材４０を貫通し、その長手方向両端寄り部分が操作部材３０の基端部における垂直軸５０と隣接した位置に挿通してそれぞれ支持され、この駆動ピン５２の長手方向両端部分が保持部材２０の一対の長孔５３にそれぞれ挿通している。
【００２３】
つまり、垂直軸５０は保持部材２０と操作部材３０の基端部に両持ち支持されている。駆動ピン５２は操作部材３０の基端部に両持ち支持され、かつ両端部分が保持部材２０に接して揺動を規制する。そして作用部材４０は駆動ピン５２の長手方向中間部で支持されている。
これによって、操作部材３０の揺動によって作用部材４０を確実に揺動できるし、操作部材３０の最大揺動角度を確実に規制できると共に、ハンドル８を手で持って扉２を開放する際に、その開放する力を駆動ピン５２と保持部材２０でしっかり支持できる。
【００２４】
前述の保持部材２０、操作部材３０の基端部、作用部材４０の具体形状を説明する。
図８、図９に示すように前記保持部材２０は縦板２１と上横板２２、下横板２３でほぼコ字形状で、その上横板２２、下横板２３の左右一方に前記長孔５３、左右他方に透孔２４がそれぞれ形成されている。
前記縦板２１の左右一端寄りに取付板２５が設けてあり、この取付板２５は上横板２２と下横板２３との上下中間、好ましくは上下中央に位置している。この取付板２５は上横板２２と下横板２３とに亘って一体的に設けても良い。
前記縦板２１の上下端には取付片２６が一体的に設けられ、この取付片２６からビス２７を台座１０に螺合して保持部材２０を台座１０の開口部１３内に取付けてある。
【００２５】
前記操作部材３０の基端部、この実施の形態では本体部３１は縦板３３と上横板３４と下横板３５でほぼコ字形状で、その上横板３４、下横板３５の左右両側方に透孔３６がそれぞれ形成されている。
この上横板３４、下横板３５が前記保持部材２０の上横板２２、下横板２３間に揺動可能に嵌まり合う。前記垂直軸５０が各透孔３６，２４に挿通される。前記駆動ピン５２が本体部３１の透孔３６に挿通して支持されると共に、保持部材２０の長孔５３内に挿入する。
【００２６】
前記作用部材４０は、作用レバー４１の基部に横片４２が一体的に設けられ、この横片４２に縦片４３が一体的に設けてある。
前記横片４２に駆動用孔４４が形成され、縦片４３に透孔４５が形成してある。この駆動用孔４４は駆動ピン５２の径よりも大きければ良く、形状は長孔、角孔、円形孔など限定されない。
前記作用レバー４１の先端部が保持部材２０の縦板２１に形成した穴２８より突出して縦片４３が取付板２５と対向し、この取付板２５の孔２５ａと縦片４３の透孔４５に亘って水平軸５１を挿通して作用部材４０を保持部材２０に垂直方向に揺動自在に取付ける。
これによって、横片４２の駆動用孔４４が保持部材２０の長孔５３と対向し、前記駆動ピン５２が駆動用孔４４、長孔５３に挿通する。
【００２７】
前記本体部３１とカバー部３２は第１のビス６５と第２のビス６６で連結され、この第２のビス６６でカバー部３２とハンドル８が連結されている。
このように、ハンドル８と操作部材３０を連結するビスが台座１０側からハンドル８に螺合され、そのビスが外部から見えないので見栄えが良い。
【００２８】
前記作用部材４０は弾性部材で垂直方向他方に揺動付勢保持され、ラッチ錠３のラッチ５が常時施錠状態となるようにしてある。
例えば、図５に示すように垂直軸５０にコイルばね７０を設け、その一端部を保持部材２０（縦板２１）に接し、他端部を駆動ピン５２に接して作用部材４０及び操作部材３０を垂直方向他方に揺動付勢保持している。
【００２９】
図５に示すように、扉２の室内側面２ａに取付けたハンドル装置６は、その垂直軸５０が駆動ピン５２よりも扉２の戸尻寄りに位置し、ハンドル８を矢印ａ方向に操作すると作用部材４０が揺動するので、ハンドル８を押すことでラッチ錠３のラッチ５を解錠状態にできる。
また、扉２の室外側面２ｂに取付けたハンドル装置６は、その垂直軸５０が駆動ピン５２よりも扉２の戸先寄りに位置し、ハンドル８を矢印ｂ方向に操作すると作用部材４０が揺動するので、ハンドル８を引くことでラッチ錠３のラッチ５を解錠状態にできる。
【００３０】
また、扉２の室内側面２ａ、室外側面２ｂにそれぞれ取付けたハンドル装置６は略同一構造で、ハンドル８を上下に反転して取付けてある。
このようであるから、略同一構造のハンドル装置６をハンドル８を上下反転して取付けることで、プッシュプル式のハンドル装置とすることができる。
【００３１】
以上の説明において、垂直軸５０とは垂直方向に向かう軸であるが、必ずしも正確に垂直方向に向かう必要はなく、若干ずれても良い。
また、水平軸５１も同様に水平方向に対して若干ずれても良い。
また、ハンドル８をカバー３２にビス６６で連結することでハンドル８を操作部材３０に設けたが、ハンドル８とカバー部３２を一体成形することでハンドル８を操作部材３０に設けるようにしても良い。
また、駆動ピン５２を駆動用孔４４に挿通して、その端部を押すようにしたが、横片４２に切欠凹部を形成し、その底部を駆動ピン５２で押すようにしても良い。この場合には、ラッチ錠３のラッチ５が常時施錠状態となるように、作用部材４０を弾性部材で直接揺動付勢する。
【図面の簡単な説明】
【００３２】
【図１】ドアの正面図である。
【図２】扉の扉用ハンドル装置取付部分の側面図である。
【図３】扉と扉用ハンドル装置の分解斜視図である。
【図４】扉用ハンドル装置の取付状態の縦断面図である。
【図５】扉用ハンドル装置の取付状態の横断面図である。
【図６】動作説明用の縦断面図である。
【図７】動作説明用の横断面図である。
【図８】扉の室内側面に取付ける扉用ハンドル装置の分解斜視図である。
【図９】扉の室外側面に取付ける扉用ハンドル装置の分解斜視図である。
【符号の説明】
【００３３】
２…扉、２ａ…室内側面、２ｂ…室外側面、３…ラッチ錠、５…ラッチ、６…扉用ハンドル装置、７…装置本体、８…ハンドル、１０…台座、１３…開口部、２０…保持部材、３０…操作部材、３１…本体部、３２…カバー部、４０…作用部材、４４…駆動用孔、５０…垂直軸、５１…水平軸、５２…駆動ピン、５３…長孔。
【図１】
2006077497.tif 000003
【図２】
2006077497.tif 000004
【図３】
2006077497.tif 000005
【図４】
2006077497.tif 000006
【図５】
2006077497.tif 000007
【図６】
2006077497.tif 000008
【図７】
2006077497.tif 000009
【図８】
2006077497.tif 000010
【図９】
2006077497.tif 000011